【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
1次アップリンクキャリア(PUL)または補助アップリンクキャリア(SUL)上でのアップリンク制御チャネル送信のために前記UEを構成するシグナリングを受信するステップであって、前記SULが、ダウンリンクキャリアと対にされていないアップリンクキャリアを含む、ステップと、
少なくとも1つの探索空間において、前記PULまたは前記SUL上でのセルへのアップリンクデータ送信のために前記UEをスケジュールするフォールバックダウンリンク制御情報(DCI)を求めて監視するステップであって、前記フォールバックDCIが、前記アップリンクデータ送信のための前記PULを示すとき第1の値を、前記アップリンクデータ送信のための前記SULを示すとき第2の値を有するパディングビットを含む、ステップと、
前記フォールバックDCIに基づいて前記PULまたは前記SUL上で前記アップリンクデータ送信を前記セルに送るステップと
を含む、方法。
【請求項２】
前記少なくとも1つの探索空間を監視するステップが、前記PUL上でのデータ送信のために前記UEを構成するフォールバックDCIを求めて、かつ前記SUL上での前記アップリンクデータ送信のために前記UEを構成するフォールバックDCIを求めて、同じ探索空間を監視するステップを含む、請求項1に記載の方法。
【請求項３】
同じ値を使用して前記SULおよび前記PULのための前記探索空間を決定するステップをさらに含む、請求項2に記載の方法。
【請求項４】
前記少なくとも1つの探索空間が、UE固有探索空間または共通探索空間である、請求項1に記載の方法。
【請求項５】
前記PULおよび前記SULのための前記フォールバックDCIが、同じ制御リソースセット(コアセット)内にある、請求項1に記載の方法。
【請求項６】
前記アップリンク制御チャネル送信のために構成された前記アップリンクキャリアと異なるアップリンクキャリア上での前記アップリンクデータ送信のために前記UEを構成する無線リソース制御(RRC)シグナリングを受信するステップをさらに含む、請求項1に記載の方法。
【請求項７】
前記SULが、前記PUL上での送信と同時の送信のためにスケジュールされることができないアップリンクキャリアを備える、請求項1に記載の方法。
【請求項８】
前記UEが、前記アップリンク制御チャネル送信と同じキャリア上で前記アップリンクデータ送信を送信するように構成され、
前記RRCシグナリングが、前記アップリンク制御チャネル送信に対して構成された前記アップリンクキャリアとして異なるアップリンクキャリア上で前記アップリンクデータ送信を送信するように前記UEを再構成する、
請求項6に記載の方法。
【請求項９】
前記フォールバックDCIが、キャリアインジケータフィールドを除外する、請求項1に記載の方法。
【請求項１０】
基地局(BS)によるワイヤレス通信のための方法であって、
1次アップリンクキャリア(PUL)または補助アップリンクキャリア(SUL)上でのアップリンク制御チャネル送信のためにユーザ機器(UE)を構成するために、前記UEにシグナリングするステップであって、前記SULが、ダウンリンクキャリアと対にされていないアップリンクキャリアを含む、ステップと、
前記PULまたは前記SUL上でのセルへのアップリンクデータ送信のために前記UEをスケジュールするフォールバックダウンリンク制御情報(DCI)を前記ダウンリンクキャリア上で送信するステップであって、前記フォールバックDCIが、前記アップリンクデータ送信のための前記PULを示すとき第1の値を、前記アップリンクデータ送信のための前記SULを示すとき第2の値を有するパディングビットを含む、ステップと
を含む、方法。
【請求項１１】
前記フォールバックDCIに基づいて前記PULまたは前記SUL上で前記UEから前記アップリンクデータ送信を受信するステップをさらに含む、請求項10に記載の方法。
【請求項１２】
前記フォールバックDCIが、UE固有探索空間または共通探索空間のためのものである、請求項10に記載の方法。
【請求項１３】
前記SULおよび前記PULのための前記フォールバックDCIが、同じ制御リソースセット(コアセット)内にある、請求項10に記載の方法。
【請求項１４】
前記アップリンク制御チャネル送信のために構成された前記アップリンクキャリアと異なるアップリンクキャリア上での前記アップリンクデータ送信のために前記UEを構成するために、無線リソース制御(RRC)シグナリングを前記UEに送るステップをさらに含む、請求項10に記載の方法。
【請求項１５】
ワイヤレス通信のための装置であって、
1次アップリンクキャリア(PUL)または補助アップリンクキャリア(SUL)上でのアップリンク制御チャネル送信のために前記装置を構成するシグナリングを受信する手段であって、前記SULが、ダウンリンクキャリアと対にされていないアップリンクキャリアを含む、手段と、
少なくとも1つの探索空間において、前記PULまたは前記SUL上でのセルへのアップリンクデータ送信のために前記装置をスケジュールするフォールバックダウンリンク制御情報(DCI)を求めて監視する手段であって、前記フォールバックDCIが、前記アップリンクデータ送信のための前記PULを示すとき第1の値を、前記アップリンクデータ送信のための前記SULを示すとき第2の値を有するパディングビットを含む、手段と、
前記フォールバックDCIに基づいて前記PULまたは前記SUL上で前記アップリンクデータ送信を前記セルに送る手段と
を備える、装置。
【請求項１６】
前記少なくとも1つの探索空間を監視することが、前記PUL上でのデータ送信のために前記装置を構成するフォールバックDCIを求めて、かつ前記SUL上での前記アップリンクデータ送信のために前記装置を構成するフォールバックDCIを求めて、同じ探索空間を監視することを含む、請求項15に記載の装置。
【請求項１７】
同じ値を使用して前記SULおよび前記PULのための前記探索空間を決定する手段をさらに備える、請求項16に記載の装置。
【請求項１８】
前記少なくとも1つの探索空間が、UE固有探索空間または共通探索空間である、請求項15に記載の装置。
【請求項１９】
前記PULおよび前記SULのための前記フォールバックDCIが、同じ制御リソースセット(コアセット)内にある、請求項15に記載の装置。
【請求項２０】
前記アップリンク制御チャネル送信のために構成された前記アップリンクキャリアと異なるアップリンクキャリア上での前記アップリンクデータ送信のために前記装置を構成する無線リソース制御(RRC)シグナリングを受信する手段をさらに備える、請求項15に記載の装置。
【請求項２１】
ワイヤレス通信のための装置であって、
1次アップリンクキャリア(PUL)または補助アップリンクキャリア(SUL)上でのアップリンク制御チャネル送信のために前記装置を構成するシグナリングを受信するように構成された受信機であって、前記SULが、ダウンリンクキャリアと対にされていないアップリンクキャリアを含む、受信機と、
メモリと結合され、少なくとも1つの探索空間において、前記PULまたは前記SUL上でのセルへのアップリンクデータ送信のために前記装置をスケジュールするフォールバックダウンリンク制御情報(DCI)を求めて監視するように構成された少なくとも1つのプロセッサであって、前記フォールバックDCIが、前記アップリンクデータ送信のための前記PULを示すとき第1の値を、前記アップリンクデータ送信のための前記SULを示すとき第2の値を有するパディングビットを含む、少なくとも1つのプロセッサと、
前記フォールバックDCIに基づいて前記PULまたは前記SUL上で前記アップリンクデータ送信を前記セルに送るように構成された送信機と
を備える、装置。
【請求項２２】
前記少なくとも1つのプロセッサが、前記PUL上でのデータ送信のために前記装置を構成するフォールバックDCIを求めて、かつ前記SUL上での前記アップリンクデータ送信のために前記装置を構成するフォールバックDCIを求めて、同じ探索空間を監視するように構成される、請求項21に記載の装置。
【請求項２３】
前記少なくとも1つのプロセッサが、同じ値を使用して前記SULおよび前記PULのための前記探索空間を決定するように構成される、請求項21に記載の装置。
【請求項２４】
前記少なくとも1つの探索空間が、UE固有探索空間または共通探索空間である、請求項21に記載の装置。
【請求項２５】
ワイヤレス通信のためのコンピュータ実行可能コードを記憶した非一時的コンピュータ可読記憶媒体であって、前記コードが、
1次アップリンクキャリア(PUL)または補助アップリンクキャリア(SUL)上でのアップリンク制御チャネル送信のためにユーザ機器(UE)を構成するシグナリングを受信するためのコードであって、前記SULが、ダウンリンクキャリアと対にされていないアップリンクキャリアを含む、コードと、
少なくとも1つの探索空間において、前記PULまたは前記SUL上でのセルへのアップリンクデータ送信のために前記UEをスケジュールするフォールバックダウンリンク制御情報(DCI)を求めて監視するためのコードであって、前記フォールバックDCIが、前記アップリンクデータ送信のための前記PULを示すとき第1の値を、前記アップリンクデータ送信のための前記SULを示すとき第2の値を有するパディングビットを含む、コードと、
前記フォールバックDCIに基づいて前記PULまたは前記SUL上で前記アップリンクデータ送信を前記セルに送るためのコードと
を含む、非一時的コンピュータ可読記憶媒体。